(57)【要約】  本発明の課題は、複数の磁石を配置した回転ドラムと、回転ドラムに固定するスプロケットを備えたマグネットセパレータにおいて、スプロケットの交換作業を簡易化することにある。  上記課題を解決するために、被処理液から磁性体を除去するマグネットセパレータであって、複数の磁石を配置した回転ドラムと、前記回転ドラムに固定され、駆動力を伝達するスプロケットを備え、前記スプロケットは、スプロケットの歯部を有する複数のスプロケット分割体からなることを特徴とする、マグネットセパレータを提供する。
2019064847.tif 000002
【特許請求の範囲】
【請求項１】
被処理液から磁性体を除去するマグネットセパレータであって、
複数の磁石を配置した回転ドラムと、前記回転ドラムに固定され、駆動力を伝達するスプロケットと、を備え、
前記スプロケットは、スプロケットの歯部を有する複数のスプロケット分割体からなることを特徴とする、マグネットセパレータ。
【請求項２】
前記スプロケット分割体は、非磁性体からなることを特徴とする、請求項１に記載のマグネットセパレータ。
【請求項３】
前記回転ドラムを収容する本体を備え、
前記本体は、前記スプロケット分割体を前記回転ドラムに固定する固定部材を取り外す又は取り付けるための窓を備えたことを特徴とする、請求項１又は２に記載のマグネットセパレータ。
【請求項４】
前記窓は、マグネットセパレータの運転停止時における被処理液の液面より上に位置していることを特徴とする、請求項３に記載のマグネットセパレータ。
【請求項５】
前記スプロケットが前記回転ドラムの一端側及び他端側に固定され、前記窓が前記本体の両側壁に形成されたマグネットセパレータであって、
前記回転ドラムの一端側の固定部材と、前記本体の一方の側壁に形成された窓が同じ位置にあるときに、前記回転ドラムの他端側の固定部材と、前記本体の他方の側壁に形成された窓が同じ位置にあることを特徴とする、請求項３又は４に記載のマグネットセパレータ。
【請求項６】
前記回転ドラムの一端側及び他端側にそれぞれ前記スプロケットが固定され、前記一端側のスプロケットの固定部材と、前記他端側のスプロケットの固定部材は、前記回転ドラムの回転軸方向から見て、略同じ位置になるように取り付けられていることを特徴とする、請求項１〜５のいずれか一項に記載のマグネットセパレータ。
【発明の詳細な説明】
【技術分野】
【０００１】
本発明は、被処理液に含まれる金属成分等の磁性体を回収するためのマグネットセパレータに関する。更に詳しくは、本発明は、複数の磁石を配置した回転ドラムと、回転ドラムに固定するスプロケットを備えたマグネットセパレータに関する。
【背景技術】
【０００２】
金属加工機械としては磁性金属を被切削材とする加工機械があり、このような金属加工機械からは、切削屑を含有する切削油が排出される。そして、このような切削油から切削屑を分離するための切削屑処理装置として、マグネットセパレータが知られている。マグネットセパレータは、マグネットを外周に配置した回転ドラムを備えており、回転ドラムにより切削屑を吸着することで切削油から切削屑を分離する。【０００３】
例えば、特許文献１には、複数の磁石を配置した回転ドラムを備え、使用済みクーラント液中の不要物（磁性スラッジ）を分離する回転ドラム型磁気分離装置が記載されている。回転ドラムは、その両端部に、モータの回転を伝達する駆動スプロケット又は従動スプロケットが固定されている。
【先行技術文献】
【特許文献】
【０００４】
【特許文献１】特開２０１３−１８４２４１号公報
【発明の概要】
【発明が解決しようとする課題】
【０００５】
回転ドラムに固定されたスプロケットは、チェーンとの噛み合わせ等により摩耗するため、定期的に交換する必要がある。従来、スプロケットの交換は、回転ドラムを吊り上げることにより本体から取り出し、回転ドラムの軸の両端を開放させた状態でスプロケットを抜き取るという作業を行っている。しかし、回転ドラムを吊り上げる作業は、クレーン装置等を必要とするため作業性が悪いという問題がある。また、高磁力を備えた回転ドラムは、取り扱いが困難であり、慎重な吊り上げ作業が求められる。【０００６】
そこで、本発明の課題は、複数の磁石を配置した回転ドラムと、回転ドラムに固定するスプロケットを備えたマグネットセパレータにおいて、スプロケットの交換作業を簡易化することにある。
【課題を解決するための手段】
【０００７】
上記の課題について鋭意検討した結果、本発明者は、複数の磁石を配置した回転ドラムと、回転ドラムに固定され、駆動力を伝達するスプロケットを備えたマグネットセパレータにおいて、前記スプロケットを、スプロケットの歯部を有する複数のスプロケット分割体で構成することにより、回転ドラムを本体に設置した状態でスプロケットを交換できることを見出して、本発明を完成した。
すなわち、本発明は、以下のマグネットセパレータである。【０００８】
上記課題を解決するための本発明のマグネットセパレータは、被処理液から磁性体を除去するマグネットセパレータであって、複数の磁石を配置した回転ドラムと、前記回転ドラムに固定され、駆動力を伝達するスプロケットを備え、前記スプロケットは、スプロケットの歯部を有する複数のスプロケット分割体からなることを特徴とするものである。
このマグネットセパレータによれば、スプロケットが複数のスプロケット分割体からなるため、スプロケット分割体毎に取り外し又は取り付けが可能となる。そのため、回転ドラムを本体に設置した状態で簡単にスプロケットを交換することができる。さらには、スプロケットの歯部が一部欠損した場合など、スプロケット全体を交換する必要がない場合には、欠損したスプロケット分割体のみを交換することができる。【０００９】
本発明のマグネットセパレータの一実施態様としては、スプロケット分割体は、非磁性体からなることを特徴とする。
この特徴によれば、スプロケット分割体を取り外す際に、該スプロケット分割体が、回転ドラムの表面のマグネットに引き寄せられて付着することを防止するという効果を奏する。【００１０】
本発明のマグネットセパレータの一実施態様としては、回転ドラムを収容する本体を備え、該本体は、スプロケット分割体を回転ドラムに固定する固定部材を取り外す又は取り付けるための窓を備えたことを特徴とする。
この特徴によれば、本体に設けられた窓を介して、本体の外側から固定部材を取り外す又は取り付けることができる。また、本体と回転ドラムの間に、固定部材を取り外す又は取り付けるための作業スペースを設ける必要がないため、本体と回転ドラムの間の空間を狭くすることが可能となり、本体を小型化することができる。【００１１】
本発明のマグネットセパレータの一実施態様としては、窓は、マグネットセパレータの運転停止時における被処理液の液面より上に位置していることを特徴とする。
この特徴によれば、スプロケットの取り外し又は取り付け操作の際に、被処理液を抜く必要がなく、簡単な作業でスプロケットを交換することができる。また、窓からの被処理液の漏出がないため、封止部材として、取り付け及び取り外しが容易な簡易的な栓を利用することができる。【００１２】
本発明のマグネットセパレータの一実施態様としては、前記スプロケットが回転ドラムの一端側及び他端側に固定され、窓が本体の両側壁に形成されたマグネットセパレータであって、回転ドラムの一端側の固定部材と、本体の一方の側壁に形成された窓が同じ位置にあるときに、回転ドラムの他端側の固定部材と、本体の他方の側壁に形成された窓が同じ位置にあるという特徴を有する。
この特徴によれば、回転ドラムの一端側及び他端側のスプロケット分割体を、両側壁の外側から同時に取り外し又は取り付け操作を行うことができる。【００１３】
本発明のマグネットセパレータの一実施態様としては、回転ドラムの一端側及び他端側にそれぞれ前記スプロケットが固定され、前記一端側のスプロケットの固定部材と、前記他端側のスプロケット固定部材は、前記回転ドラムの回転軸方向から見て、略同じ位置になるように取り付けられていることを特徴とする。
本体内壁には、回転ドラムを軸支するための台座が形成されており、本体と回転ドラムの間の空間を狭くすると、固定部材が台座に接触する位置関係となる。そのため、本体に回転ドラムを導入する際には、固定部材が台座を避けて導入する必要がある。そこで、回転ドラムの一端側のスプロケットの固定部材と、他端側のスプロケット固定部材を、回転ドラムの回転軸方向から見て、略同じ位置になるように取り付けることにより、回転ドラムの両端において、固定部材が台座を避ける領域が一致するため、回転ドラムの設置作業が容易になるという効果がある。
【発明の効果】
【００１４】
本発明によれば、複数の磁石を配置した回転ドラムと、回転ドラムに固定するスプロケットを備えたマグネットセパレータにおいて、スプロケットの交換作業を簡易化することができる。
【図面の簡単な説明】
【００１５】
【図１】本発明の第一の実施態様のマグネットセパレータの構造を示す概略説明図である。
【図２】本発明の第一の実施態様のマグネットセパレータの回転ドラムとスプロケットの構造を示す概略説明図である。
【図３】本発明の第一の実施態様のマグネットセパレータの回転ドラムの設置操作及び回転ドラムの内部構造を説明する概略説明図である。図３（Ａ）は、回転ドラムの設置操作を説明する概略説明図である。図３（Ｂ）は、回転ドラムの内部構造を示す概略説明図である。
【図４】本発明の第二の実施態様のマグネットセパレータに使用するスプロケットの構造を示す概略説明図である。
【図５】本発明の第二の実施態様のマグネットセパレータの構造を示す概略説明図である。
【図６】本発明の第二の実施態様のマグネットセパレータのスプロケットの取り外し操作を説明する概略説明図である。
【図７】本発明の第二の実施態様のマグネットセパレータのスプロケットの取り外し操作を説明する概略説明図である。
【図８】本発明の第二の実施態様のマグネットセパレータのスプロケットの取り外し操作を説明する概略説明図である。
【発明を実施するための形態】
【００１６】
本発明のマグネットセパレータは、例えば、被処理液に含有する磁性スラッジ等の磁性体を磁力によって回収するものである。被処理液としては、磁性体を含む液体であれば、特に制限されず、油性の液体でも、水溶性の液体でもよい。一般的な被処理液としては、例えば、磁性金属を被削材とする金属研磨加工機械におけるクーラント液や、鋼板等にメッキを施す装置におけるメッキ液等が挙げられる。本発明のマグネットセパレータは、これらの被処理液から磁性体を回収して、被処理液を清浄化することができる。その他、本発明のマグネットセパレータは、例えば、産業廃棄物からの希少金属の回収や、飲料や食用油等からの異物の除去等に利用することもできる。
【００１７】
以下に、この発明の実施形態を、添付図面を参照して詳細に説明する。
〔第一の実施態様〕
図１には、本発明の第一の実施態様のマグネットセパレータ１００の構造を示す。本発明のマグネットセパレータ１００は、矩形状の筐体からなる本体１と、本体１内に磁性スラッジ（磁性体）を含む被処理液を投入する投入部５と、磁性スラッジを除去された処理液を排出する処理液排出部６ａと、磁性スラッジを排出する磁性体排出部６ｂを備えている。
【００１８】
本体１は、前壁１ａ、左側壁１ｂ、後壁１ｃ、右側壁１ｄ（図３参照。）、下面１ｅ、天面１ｆにより構成された矩形状の筐体である。投入部５は、本体１の前壁１ａに設けられている。処理液排出部６ａは、本体１の下面１ｅに設けられている。磁性体排出部６ｂは、本体１の後壁１ｃに設けられている。また、本体１の内部には、底壁１ｇが設けられ、被処理液を貯留する液溜め部８が形成されている。そして、ポンプ等により供給された被処理液は、投入部５から流入し、液溜め部８に一時的に貯留され、その後、底壁１ｇを越流して、処理液排出部６ａから排出される。
【００１９】
本体１の内部には、投入部５の流入口と離間して整流壁９が設置されている。整流壁９は、投入された被処理液の流れを下方へ向けることにより、整流壁９の下方の流速を高める作用がある。これにより、投入部５付近における磁性スラッジの堆積を抑制するという効果を奏する。
【００２０】
本体１の内部には、磁性スラッジを磁着して被処理液の外部に排出する回転ドラム２が設置されている。回転ドラム２は、被処理液の流れに対して直交する方向に、略水平に軸支され、下側略半周を被処理液の液面下に浸し、上側略半周は液面から出るように設置されている。また、底壁１ｇは、回転ドラム２の形状に沿って設置されており、被処理水は、回転ドラム２と底壁１ｇの間を通過する。
【００２１】
回転ドラム２は、内筒２ａと外筒２ｂの二つの円筒体と、内筒２ａの外周に固定された複数の磁石３により構成されている。複数の磁石３は、外筒２ｂの外周面に所定の磁力を作用させて外筒２ｂの外周面に磁性スラッジを磁着させることができる。なお、二つの円筒体は、ステンレス鋼等の非磁性材で形成されており、円筒体からは磁力が発生しない。
【００２２】
内筒２ａは固定して設置されており、内筒２ａの外周に固定された複数の磁石３の配置により外筒２ｂの外周面に磁力を作用させる範囲を設定することができる。外筒２ｂの外周面に磁力を作用させる範囲は、回転ドラム２の外径や、スクレーパ７の位置等によって適宜設計する。第一の実施態様のマグネットセパレータ１００では、回転ドラム２の液溜め部８に浸漬する部分から頂上部までの外筒２ｂの外周面の略３／４の範囲に磁力を作用させている。また、外筒２ｂの外周面の残りの略１／４には、磁石を配置せず、磁力を作用させていない。
一方、外筒２ｂは内筒２ａと同軸に設置され、モータ４の駆動力により回転する。なお、外筒２ｂの回転方向は、下方を通過する被処理液の流れと逆方向（図１の紙面から見て反時計回り）である。
【００２３】
回転ドラム２の頂上部近傍には、回転ドラム２に磁着した磁性スラッジから液分を搾り取るためのローラ１０、液分を絞り取られた磁性スラッジを回転ドラム２から掻き取るためのスクレーパ７が設置されている。
ローラ１０は、ゴム等の弾性体を表面に配してあり、所定の押圧で回転ドラム２の外筒２ｂの外周面に当接されている。ローラ１０の表面に配した弾性体としては、ＣＲ（クロロプレン）系ゴム、ＮＢＲ（ニトリル）系ゴム等の弾性体が主流であるが、例えば、ポリエステルポリオールを主成分とした未架橋のポリウレタン材を用いてもよい。
スクレーパ７は、磁力の作用しない領域に設置され、回転ドラム２の外筒２ｂの外周面に当接している。
【００２４】
次に、回転ドラム２の作動について説明する。被処理液に浸漬している回転ドラム２の外周面には、磁力の作用によって磁性スラッジが付着する。ここで、回転ドラム２の外筒２ｂを回転すると、磁性スラッジは、回転ドラム２の外周面に磁着しつつ、外筒２ｂの外周面との摩擦力によって外筒２ｂの回転方向に移動する。そして、回転ドラム２の外周面とローラ１０との間を磁着された磁性スラッジが通過することにより、磁性スラッジの液分が絞り取られるため、液分の少ない磁性スラッジを分離回収することができる。次いで、液分を絞り取られた磁性スラッジは、磁力の作用しない位置に移動し、スクレーパ７により、回転ドラム２の外周面から掻き取られる。掻き取られた磁性スラッジＳは、磁性体排出部６ｂから排出される。
【００２５】
なお、第一の実施態様では、一つの回転ドラム２を備えたマグネットセパレータを例示したが、本発明のマグネットセパレータは、複数の回転ドラムを備えたものでもよい。また、外筒の内側に複数の磁石を配置して、磁石を回転させてもよい。
【００２６】
図２に、回転ドラム２と、駆動スプロケット１１及び従動スプロケット１２の構造を示す。図２に示すように、回転ドラム２は、外筒２ｂの両端に駆動スプロケット１１と従動スプロケット１２が取り付けられる。駆動スプロケット１１は、モータ４と連結され、モータ４の駆動力を回転ドラム２に伝達する。従動スプロケット１２は、ローラ１０のスプロケットと噛み合うように構成されており、モータ４の動力を、回転ドラム２を介してローラ１０に伝達する。
【００２７】
本発明のマグネットセパレータに用いるスプロケットは、スプロケットの歯部を有する複数のスプロケット分割体からなることを特徴とするものである。スプロケット分割体とは、スプロケットの一部を構成するものであり、複数個が集まって一つのスプロケットを形成する。例えば、図２に示すように、駆動スプロケット１１及び従動スプロケット１２は、それぞれ３分割され、複数のスプロケット分割体１１ａ、１１ｂ、１１ｃ及びスプロケット分割体１２ａ、１２ｂ、１２ｃからなる。また、各スプロケット分割体は、それぞれ固定部材１６ａ、１６ｂ、１６ｃ、固定部材１７ａ、１７ｂ、１７ｃにより回転ドラム２に固定される。具体的には、従動スプロケット１２に例示するように、各スプロケット分割体に形成された穴２１ａ、２１ｂ、２１ｃを介して、ネジからなる固定部材１７ａ、１７ｂ、１７ｃと、回転ドラム２の端円盤２７ｂに形成されたネジ穴２５ａ、２５ｂ、２５ｃを係合することにより、各スプロケット分割体を回転ドラム２に固定している。
【００２８】
スプロケット分割体の形状は、複数のスプロケット分割体を組み合わせて一つのスプロケットの機能を発揮するものであれば特に制限されない。例えば、一つのスプロケットを複数に分割して得られたスプロケット分割体だけでなく、それぞれ独立して形成されたスプロケット分割体であって、回転ドラムに取り付けた際に一つのスプロケットの機能を発揮するスプロケット分割体でもよい。
【００２９】
スプロケットを構成するスプロケット分割体の数は、特に制限されないが、交換作業を簡素化するという観点からは、好ましくは４個（９０°に分割）であり、より好ましくは３個（１２０°に分割）であり、特に好ましくは２個（１８０°に分割）である。また、欠損した歯部の一部を交換するという観点からは、細かく分割した方が好ましい。
【００３０】
スプロケット分割体の材質は、特に制限されないが、耐久性の観点から、鉄、ステンレス等の金属材料が好ましい。高磁力の回転ドラムに適用する場合には、取り扱いのしやすさから、回転ドラムの磁力の影響を受けにくい（磁化しにくい）ステンレス等の非磁性材料が好ましい。一方、磁力の弱い回転ドラムに適用する場合には、回転ドラムの磁力の影響が小さいため、安価で汎用性に優れる鉄等の磁性材料のものを使用することが好ましい。
【００３１】
固定部材は、スプロケット分割体を回転ドラム２の端部に取り付けることができれば、どのような構造物でもよく、例えば、ネジ、ピン等である。
固定部材の材質は、特に制限されないが、スプロケットと同様、ステンレス等の非磁性材料や、鉄等の磁性材料が挙げられる。非磁性材料を用いる場合には、固定部材が回転ドラム２の磁石３に引き寄せられて磁着する等のトラブルを防止することができる。また、磁性材料を用いる場合には、磁石付き工具で固定部材を吸着することにより、固定部材の取り付け、取り外し作業を容易に行うことができる。
【００３２】
図３（Ｂ）に、回転ドラム２の内部構造を説明する概略説明図を示す。回転ドラム２は、本体の台座１３ａ及び１３ｂに固定される軸１４、軸１４に固定される内筒２ａ、内筒２ａの周囲に配置される磁石３、内筒２ａを内部に格納する外筒２ｂを備える。外筒２ｂの両端部には、リング状の端円盤２７ａ及び２７ｂがノックピン２９ａ及び２９ｂにより固定される。端円盤２７ａ及び２７ｂの略中央には、ボールベアリング等の軸受２８ａ及び２８ｂを介して軸１４が挿通している。また、端円盤２７ａ及び２７ｂには、駆動スプロケット１１及び従動スプロケット１２が固定部材により取り付けられている。
【００３３】
次に、図３（Ａ）を用いて、回転ドラム２の設置操作を説明する。回転ドラム２の設置では、クレーン等で回転ドラム２を吊るして本体１の内部に導入する。回転ドラム２の軸端部１４ａ及び軸端部１４ｂを、それぞれ本体１の内部に設けられた台座１３ａ及び台座１３ｂに置き、台座１３ａ及び台座１３ｂと軸端部１４ａ及び軸端部１４ｂをそれぞれ軸止め１５で固定することにより設置する。
【００３４】
なお、本体１を小型化するという観点から、回転ドラム２の両端と、本体１の左側壁１ｂ及び右側壁１ｄとの空間を狭くすることが好ましい。この空間を狭くするためには、軸端部１４ａ及び軸端部１４ｂを短くし、台座１３ａ及び台座１３ｂと駆動スプロケット１１及び従動スプロケット１２を近接して配置すればよい。
【００３５】
一方で、台座１３ａ及び台座１３ｂと駆動スプロケット１１及び従動スプロケット１２を近接して配置すると、固定部材（例えば、ネジ頭）の取り付け位置によっては、駆動スプロケット１１及び従動スプロケット１２を回転した際に、固定部材と台座が接触してしまうことがある。そのため、固定部材１６ａ〜１６ｃ及び固定部材１７ａ〜１７ｃは、駆動スプロケット１１及び従動スプロケット１２を回転した時に台座１３ａ及び台座１３ｂに接触しないように、台座１３ａ及び台座１３ｂよりも径方向外側の位置において端円盤２７ａ及び端円盤２７ｂに固定される。
【００３６】
また、回転ドラム２を本体１に導入する際にも、固定部材１６ａ〜１６ｃ及び固定部材１７ａ〜１７ｃと台座１３ａ及び台座１３ｂが接触しないように、固定部材の取り付け位置が設定されている。すなわち、吊るされた回転ドラム２を下降して本体１に導入する際、固定部材１６ａ〜１６ｃが台座１３ａに接触しないように、端円盤２７ａ（外筒２ｂ）を回転させて、固定部材１６ａ〜１６ｃの位置を調整する。そして、固定部材１６ａ〜１６ｃが台座１３ａと接触しない位置に調整されつつ、他端側の固定部材１７ａ〜１７ｃも台座１３ｂに接触しないように、固定部材１７ａ〜１７ｃの位置が設定されている。
【００３７】
このような観点で固定部材の取り付け位置を設計すると、回転ドラム２の両側にスプロケットを設ける場合、回転ドラム２の一端側の固定部材１６ａ〜１６ｃと、他端側の固定部材１７ａ〜１７ｃが、回転ドラム２の回転軸方向から見て、略同じ位置に取り付けられていることが好ましい。例えば、図２に示すように、第一の実施態様における回転ドラム２では、固定部材１６ａと固定部材１７ａ、固定部材１６ｂと固定部材１７ｂ、固定部材１６ｃと固定部材１７ｃの位置が、回転ドラム２の回転軸方向から見て同じ位置となるように取り付けられている。これにより、本体１に回転ドラム２を設置する際に、回転軸を支える台座１３ａ及び台座１３ｂと、固定部材１６ａ〜１６ｃ及び固定部材１７ａ〜１７ｃとの接触を同時に避けやすくなり、回転ドラム２を本体１に導入する作業が容易になるという効果を奏する。
【００３８】
〔第二の実施態様〕
図４に、本発明のマグネットセパレータに使用するスプロケットの別の態様を示す。このスプロケット１８は、半円状のスプロケット分割体１８ａ及び１８ｂからなる。各スプロケット分割体１８ａ及び１８ｂの円弧部には、それぞれ歯部２３ａ及び２３ｂが形成されており、各スプロケット分割体は、一体となって一つのスプロケットを形成する。
さらに各スプロケット分割体１８ａ及び１８ｂには、それぞれ２つの固定部材１９ａ、１９ｂ及び１９ｃ、１９ｄが取り付けられるようになっている。このように、回転ドラムにスプロケット分割体を取り付ける際に、１つのスプロケット分割体あたりに２以上の固定部材を用いて取り付けることが好ましい、これにより、スプロケット分割体が回転ドラムに強く固定され、モータ等の動力によりスプロケットの位置がずれる等のトラブルを防止することができる。
【００３９】
図５には、本発明の第二の実施態様のマグネットセパレータ１０１の構造を示す。図６〜図８には、マグネットセパレータ１０１のスプロケットの取り外し操作を説明する概略説明図である。スプロケットは、マグネットセパレータの使用によって歯部が摩耗するため定期的に交換する必要がある。また、スプロケットの歯部が一部欠損した場合など、不具合が生じた場合にも交換する。
【００４０】
第二の実施態様のマグネットセパレータ１０１は、従動スプロケット及び駆動スプロケットとして、図４に示すスプロケット１８を備えたものである。なお、本体１は、第一の実施態様のマグネットセパレータ１００と同様である。また、図６に示すように、本体１は左右の側壁に、窓２０ａ及び窓２０ｂ（窓２０ａは、図３（Ｂ）を参照。）を備えている。窓２０ｂは、本体１の左側壁１ｂに形成された貫通孔であり、スプロケット１８を回転させると、固定部材１９ａ、１９ｂ、１９ｃ、１９ｄが通過する位置（側壁の外側から見える位置）に設けられている。窓２０ｂを設けることにより、工具等を用いて本体１の外側から固定部材１９ａ、１９ｂ、１９ｃ、１９ｄを取り外す又は取り付けることができる。また、固定部材を、本体１の外側から取り外す又は取り付けることができることから、本体１の側壁と、回転ドラム２との空間において、固定部材を取り外す又は取り付ける作業を行うためのスペースを設ける必要がない。よって、この空間を縮小化し、本体１を小型化できるという効果もある。なお、窓２０ｂ（窓２０ａ）は、一つの側壁に２つ以上設けてもよい。
【００４１】
図６〜図８を用いてスプロケット分割体１８ｂの取り外し操作を説明する。図６に示すように、初めに、回転ドラム２を回転させて窓２０ｂの位置に固定部材１９ｄを配置する。そして、窓２０ｂからドライバ等の工具を挿入し、固定部材１９ｄを取り外す。次に、図７に示すように、回転ドラム２を回転させて窓２０ｂの位置に固定部材１９ｃを配置し、固定部材１９ｃを取り外す。最後に、本体１の上部からスプロケット分割体１８ｂを取り出して（図８）、取り外し操作を終了する。なお、取り付け操作は、取り外し操作を逆から行えばよい。
【００４２】
本体１の両側壁に形成された窓２０ａ及び窓２０ｂの位置は、回転ドラム２の一端側の固定部材と一方の側壁に形成された窓２０ａが同じ位置にあるときに、回転ドラム２の他端側の固定部材と他方の側壁に形成された窓２０ｂが同じ位置にあることが好ましい。第二の実施態様のマグネットセパレータ１０１では、一方の側壁に形成された窓２０ａと、他方の側壁に形成された窓２０ｂは、回転ドラム２の回転軸方向から見て同じ位置に形成されている（図３（Ｂ）参照。）。これにより、回転ドラム２の両端のスプロケット分割体を同時に取り外し又は取り付け操作を行うことができる。
【００４３】
また、窓の位置は、マグネットセパレータの運転停止時における被処理液の液面よりも上に位置することが好ましい。これにより、スプロケットの取り外し又は取り付け操作の際に、被処理液を抜く必要がなく、簡単な作業でスプロケットを交換することができる。また、窓からの被処理液の漏出を防止することができるため、窓からの取り外しが容易な簡易的な栓により封止することが可能となる。簡易的な栓としては、例えば、膜付きグロメット等が挙げられる。
【００４４】
このように本発明のマグネットセパレータによれば、スプロケットが複数のスプロケット分割体で構成されているため、各スプロケット分割体をそれぞれ交換することにより、回転ドラムを本体に設置した状態で簡単にスプロケットを交換することができる。さらには、スプロケットの歯部が一部欠損した場合など、スプロケット全体を交換する必要がない場合には、欠損したスプロケット分割体のみを交換することができる。
【００４５】
また、高磁力の回転ドラムは、高磁力が発生しているため取り扱いが困難であり、慎重な吊り上げ作業が必要である。一方、本発明のマグネットセパレータでは、回転ドラムを本体に設置した状態でスプロケットを交換することができるため、高磁力の回転ドラムを備えたマグネットセパレータにおけるスプロケットの交換作業において一層の効果を発揮する。このような効果を勘案すると、本発明のマグネットセパレータは、高磁力の回転ドラムを備えたマグネットセパレータに適用することが好ましく、より好ましくは０．５テスラ以上の磁束密度を有する回転ドラムを備えたマグネットセパレータであり、特に好ましくは１テスラ以上の磁束密度を有する回転ドラムを備えたマグネットセパレータである。
【産業上の利用可能性】
【００４６】
本発明のマグネットセパレータは、被処理液に含有する磁性体を磁力によって回収するものであり、油性、水溶性を問わず高い回収率が実現される。被処理液としては、例えば、磁性金属を被削材とする金属研磨加工機械におけるクーラント液や、鋼板等にメッキを施す装置におけるメッキ液等が挙げられる。【００４７】
また、本発明のマグネットセパレータは、液体から金属等の磁性体を分離する操作であれば利用することができる。例えば、産業廃棄物からの希少金属の回収や、飲料や食用油等からのボルト等の異物の除去等に利用してもよい。
【符号の説明】
【００４８】
１００，１０１…マグネットセパレータ、１…本体、１ａ…前壁、１ｂ…左側壁、１ｃ…後壁、１ｄ…右側壁、１ｅ…下面、１ｆ…天面、１ｇ…底壁、２…回転ドラム、３…磁石、４…モータ、５…投入部、６ａ…処理液排出部、６ｂ…磁性スラッジ排出部、７…スクレーパ、８…液溜め部、９…整流壁、１０…ローラ、１１…駆動スプロケット、１１ａ，１１ｂ，１１ｃ…スプロケット分割体、１２…従動スプロケット、１２ａ，１２ｂ，１２ｃ…スプロケット分割体、１３ａ，１３ｂ…台座、１４…軸、１４ａ，１４ｂ…軸端部、１５…軸止め、１６ａ，１６ｂ，１６ｃ，１７ａ，１７ｂ，１７ｃ…固定部材、１８…スプロケット、１８ａ，１８ｂ…スプロケット分割体、１９ａ，１９ｂ，１９ｃ，１９ｄ…固定部材、２０ａ，２０ｂ…窓、２１ａ，２１ｂ，２１ｃ…穴、２２ａ，２２ｂ，２２ｃ…歯部、２３ａ，２３ｂ…歯部、２４ｃ，２４ｄ…穴、２５ａ，２５ｂ，２５ｃ…ネジ穴、２６ｃ，２６ｄ…ネジ穴、２７ａ，２７ｂ…端円盤、２８ａ，２８ｂ…軸受、２９ａ，２９ｂ…ノックピン、Ｓ…磁性スラッジ
【図１】
2019064847.tif 000003
【図２】
2019064847.tif 000004
【図３】
2019064847.tif 000005
【図４】
2019064847.tif 000006
【図５】
2019064847.tif 000007
【図６】
2019064847.tif 000008
【図７】
2019064847.tif 000009
【図８】
2019064847.tif 000010
【国際調査報告】
2019064847.tif 000011
2019064847.tif 000012
2019064847.tif 000013
2019064847.tif 000014